(57)【特許請求の範囲】
【請求項１】
外周が壁面に接する状態で固定される網状部材と、その網状部材の中央部と前記壁面との間に介在され、前記網状部材の固定状態で前記中央部を前記壁面から所定距離だけ離した状態で保持する嵩上げスペーサと、を含んでなる緑化パネル。
【請求項２】
前記嵩上げスペーサは、上面に前記網状部材の中央部の線材が係合可能な溝が形成され、下面に前記網状部材の外周の線材が係合可能な凹溝が形成されるスペーサと、そのスペーサの上面へ着脱可能に取り付けられて前記溝に係合した前記線材の脱却を阻止する押さえ板とからなることを特徴とする請求項１に記載の緑化パネル。
【請求項３】
請求項１又は２に記載の緑化パネルを壁面に対して上下方向及び／又は左右方向へ複数並べて固定することを特徴とする緑化パネルの施工方法。
【発明の詳細な説明】
【技術分野】
【０００１】
本発明は、蔓性植物が壁面と金網との間を伝い易くし、緑化を促進させる緑化パネル及び緑化パネルの施工方法に関するものである。
【背景技術】
【０００２】
従来より、蔓性植物が壁面を伝うことで緑化を行う場合、壁面に対して一定の間隔を取るように壁面と金網との間に対して補助具を接地し、蔓性植物を植培する方法が知られている(特許文献１，２)。
【先行技術文献】
【特許文献】
【０００３】
【特許文献１】特開平８−２０９５１号公報
【特許文献２】特開平９−１４４１２９号公報
【発明の概要】
【発明が解決しようとする課題】
【０００４】
しかしながら、このような補助具では、壁面に対して一定の間隔を保持するように設置させる必要があることから、設置に手間がかかり、壁面の状態に左右され易いという問題があった。
【０００５】
そこで、本発明の目的は、上記従来の植培方法の問題点を解消し、設置が容易であり、且つ作業が短時間で済むことに加え、壁面の状態に左右されることがない緑化パネル及び緑化パネルの施工方法を提供することにある。
【課題を解決するための手段】
【０００６】
本発明のうち、請求項１に記載された発明は、外周が壁面に接する状態で固定される網状部材と、その網状部材の中央部と前記壁面との間に介在され、前記網状部材の固定状態で前記中央部を前記壁面から所定距離だけ離した状態で保持する嵩上げスペーサと、を含んでなる緑化パネルとしたことを特徴とするものである。
【０００７】
請求項２に記載された発明は、請求項１に記載の発明に加え、前記嵩上げスペーサは、上面に前記網状部材の中央部の線材が係合可能な溝が形成され、下面に前記網状部材の外周の線材が係合可能な凹溝が形成されるスペーサと、そのスペーサの上面へ着脱可能に取り付けられて前記溝に係合した前記線材の脱却を阻止する押さえ板とからなることを特徴とするものである。
【０００８】
請求項３に記載された発明は、請求項１又は２に記載の緑化パネルを壁面に対して上下方向及び／又は左右方向へ複数並べて固定することを特徴とする緑化パネルの施工方法である。
【発明の効果】
【０００９】
請求項１に記載された発明は、設置が容易であり、且つ作業が短時間で済むことに加え、壁面の状態に影響されることがない。また、網状部材がパネル状ではなく一体物であっても、中心部を嵩上げすることにより、登攀空間を形成することが可能である。他にも、登攀空間内を蔓性植物が登攀することから、網状部材に絡みつくことがない。加えて、下地としてクッション性のある繊維マットを敷き詰めれば、壁面を直接蔓性植物が登攀しないので、壁面を痛めることがない。
。
【００１０】
請求項２に記載された発明は、請求項１に記載の発明に加え、網状部材との係合を強固に行うことを可能とする一方、着脱が容易である。また、網状部材の嵩上げと網状部材同士の固定とに兼用できる。
【００１１】
請求項３に記載された発明は、請求項１又は２に記載の発明に加え、壁面や網状部材の形状に合わせた施工が可能であり、汎用性が高い。
【図面の簡単な説明】
【００１２】
【図１】嵩上げスペーサを示した説明図である。
【図２】（ａ）は嵩上げスペーサを使用した状態を示し、（ｂ）は、その断面を示す説明図である。
【図３】網状部材同士を嵩上げスペーサで固定した状態を示す説明図である。
【図４】蔓性植物が壁面を登攀する状態を示す説明図である。
【発明を実施するための形態】
【００１３】
以下、本発明の嵩上げスペーサの一実施形態について、図面に基づいて詳細に説明する。
【００１４】
図１は、嵩上げスペーサを示した説明図である。図２は、嵩上げスペーサの使用状態を示した全体図である。図３は、網状部材同士を嵩上げスペーサで固定した状態を示す説明図である。図４は、蔓性植物が壁面を登攀する状態を示す説明図である。
【００１５】
先ず初めに、図１に示すように、嵩上げスペーサ１は、スペーサ１０と押さえ板２０とで構成する構造である。
このうち、スペーサ１０は、横長長方形状の樹脂材で、平面側中央の短手方向には、後述する網状部材の中央部の線材が係合可能な半円状の溝１１が形成される一方、底面側には、網状部材の外周の線材が係合可能な凹溝１３が形成されている。また、平面の左右には、孔１２，１２が穿設されている。
【００１６】
一方、押さえ板２０は、中央を倒コ字状２２に折り曲げ形成した金属製の板材で、左右の鍔には、孔２１，２１が穿設されている。他にも、図２（ａ）に示すように、網状部材３０は、縦線材３１，３１・・と、横線材３２，３２・・とが所定の間隔で交差するように形成されている。
【００１７】
このようにして構成した嵩上げスペーサ１による網状部材３０の嵩上げは、以下のように行われる。
先ず初めに、外周が留め具によって壁面に接する状態で固定された網状部材３０において、縦線材３１，３１・・のうち、嵩上げする位置の縦線材３１を持ち上げる。そして、壁面と縦線材３１との間で、スペーサ１０の溝１１に縦線材３１を係止する位置に載置する。
【００１８】
次に、この状態のスペーサ１０の上に、スペーサ１０の孔１２，１２に、押さえ板２０の孔２１，２１が重なるようにセットする。そして、この状態で孔２１，２１にボルト２，２・・を挿入して螺合することで、嵩上げスペーサ１によって縦線材５が持ち上げられた状態で固定されるのである。このようにして、図２（ｂ）に示すように、網状部材３０の係止箇所周縁には、網状部材３０の固定状態で中央部を壁面から所定距離を離した登攀空間４０，４０・・が形成される。
【００１９】
次に、網状部材３０，３０同士の固定について説明する。
図３に示すように、網状部材３０，３０が並べられた状態において、端部の縦線材３１，３１同士を、スペーサ１０の凹溝１３で覆うようにスペーサ１０をセットする。そして、孔１２，１２にボルト２，２を挿入して螺合することで、網状部材３０，３０同士が固定される。
【００２０】
このようにして、嵩上げスペーサ１を用いて、壁面５０と網状部材３０との間に登攀空間４０を形成した後、壁面５０の下方に蔓性植物４５を植生して登攀空間４０内に蔓性植物４５を登攀させると、図４に示すように、壁面の緑化を行う緑化パネル６０が形成されるのである。
【００２１】
上記の如く構成された緑化パネル６０は、外周が壁面５０に接する状態で固定される網状部材３０と、その網状部材３０の中央部と壁面５０との間に介在され、網状部材３０の固定状態で中央部を壁面５０から所定距離だけ離した状態で保持する嵩上げスペーサ１と、を含んでなることにより、設置が容易であり、且つ作業が短時間で済むことに加え、壁面５０の状態に影響されることがない。また、網状部材３０がパネル状ではなく一体物であっても、中心部を嵩上げすることにより、登攀空間４０を形成することが可能である。他にも、登攀空間４０内を蔓性植物４５が登攀することから、網状部材３０に絡みつくことがない。加えて、下地としてクッション性のある繊維マットを敷き詰めれば、壁面５０を直接蔓性植物４５が登攀しないので、壁面５０を痛めることがない。
【００２２】
また、嵩上げスペーサ１は、上面に網状部材３０の中央部の縦線材３１が係合可能な溝１１が形成され、下面に網状部材３０の外周の縦線材３１が係合可能な凹溝１３が形成されるスペーサ１０と、そのスペーサ１０の上面へ着脱可能に取り付けられて溝１１に係合した縦線材３１の脱却を阻止する押さえ板２０とからなることにより、網状部材３０との係合を強固に行うことを可能とする一方、着脱が容易である。また、網状部材３０の嵩上げと網状部材３０，３０同士の固定とに兼用できる。
【００２３】
他にも、緑化パネル６０を壁面５０に対して上下方向及び／又は左右方向へ複数並べて固定する緑化パネル６０の施工方法によれば、壁面５０や網状部材３０の形状に合わせた施工が可能であり、汎用性が高い。
【００２４】
なお、本発明にかかる嵩上げスペーサ１の構造は、上記した実施の形態に何ら限定されるものではなく、本発明の趣旨を逸脱しない範囲で、スペーサや押さえ板の形状、大きさ、材質等を適宜変更することができる。
【００２５】
例えば、スペーサ１０の溝１１は、必ずしも縦線材３１を係止する必要はなく、横線材３２を係止しても良いし、両方の線材を係止するように十字状の溝としても良く、適宜変更可能である。
【００２６】
一方、凹溝１３は、縦線材３１，３１同士の固定だけでなく、横線材３２，３２同士の固定をしても良いし、両方の線材を係止するように十字状の溝としても良く、適宜変更可能である。
【００２７】
また、スペーサ１０と壁面５０との固定は、必ずしもボルト２を螺合することで固定する方法である必要はなく、スペーサ１０が壁面５０に固定されるものであれば良く、適宜変更可能である。
加えて、押さえ板２０とスペーサ１０とは、必ずしも一体に固定する必要はなく、スペーサ１０によって登攀空間４０を形成し、縦線材３１と溝１１との係止が容易に解除されないものであれば良く、適宜変更可能である。
【００２８】
他にも、嵩上げスペーサ１を積層しても良く、適宜変更可能である。これにより、登攀空間４０をより大きく形成することが可能であり、バラ等の比較的大きい蔓性植物４５を壁面に這わすことが可能である。
【００２９】
また、押さえ板２０は、中央を倒コ字状２２に折り曲げ形成した金属製の板材であるが、必ずしも折り曲げ形成する必要はなく、平滑な板材であっても良く、適宜変更可能である。
【符号の説明】
【００３０】
１・・嵩上げスペーサ、２・・ボルト、１０・・スペーサ、１１・・溝、１２・・孔、１３・・凹溝、２０・・押さえ板、２１・・孔、２２・・倒コ字状、３０・・網状部材、３１・・縦線材、３２・・横線材、４０・・登攀空間、４５・・蔓性植物、５０・・壁面、６０・・緑化パネル。
【図１】
0005984772.tif 000002
【図２】
0005984772.tif 000003
【図３】
0005984772.tif 000004
【図４】
0005984772.tif 000005